(57)【要約】      （修正有）【課題】ノズルの摩耗を低減できる、あるいはノズルの回転を安定化できる吐水装置を提供する。【解決手段】洗浄水が流入する流入室１２と、流入室の内部と外部とを連通する開口部１４とを有するガイド部材１０と、縮径部の先端を開口部からガイド部材の外部に突出させた状態で、流入室の内部に設けられ、洗浄水を縮径部の先端から流出可能な筒体４０とを備え、筒体は、縮径部の先端に筒体の中心軸に対して非対称な関係で傾斜し、縮径部に連通した吐水孔５２を有し、筒体は、ガイド壁２２と天井壁と開口壁とに当接した状態で、流入室の中心軸に対して傾きながら流入室の中心軸のまわりに首振り公転し、且つ筒体自身の中心軸のまわりに自転し、筒体が首振り公転及び自転しているときの筒体と天井壁との当接状態は、略直線状態または略曲線状態であることを特徴とする。【選択図】図１
2010069445.tif 000002
【特許請求の範囲】
【請求項１】
洗浄水が流入する流入室と、前記流入室の内部と外部とを連通する開口部と、を有するガイド部材と、
前記開口部より小径な縮径部を有し、前記縮径部の先端を前記開口部から前記ガイド部材の外部に突出させた状態で前記流入室の内部に設けられ、前記流入室に流入した洗浄水を前記縮径部の先端から流出可能な筒体と、
を備え、
前記筒体は、前記縮径部の先端に前記筒体の中心軸に対して非対称な関係で傾斜し、前記縮径部に連通した吐水孔を有し、
前記流入室は、前記筒体の動きを案内するガイド壁を有し、
前記開口部は、前記流入室に近接して設けられ前記筒体の動きを案内する天井壁と、前記天井壁よりも前記外部の側に設けられ前記筒体の動きを案内する開口壁と、を有し、
前記筒体は、前記ガイド壁と前記天井壁と前記開口壁とに当接した状態で前記流入室の中心軸に対して傾きながら前記流入室の中心軸のまわりに首振り公転し、且つ前記筒体自身の中心軸のまわりに自転し、
前記筒体が前記首振り公転及び自転しているときの前記筒体と前記天井壁との当接状態は、略直線状態または略曲線状態であることを特徴とする吐水装置。
【請求項２】
洗浄水が流入する流入室と、前記流入室の内部と外部とを連通する開口部と、を有するガイド部材と、
前記開口部より小径な縮径部を有し、前記縮径部の先端を前記開口部から前記ガイド部材の外部に突出させた状態で前記流入室の内部に設けられ、前記流入室に流入した洗浄水を前記縮径部の先端から流出可能な筒体と、
前記縮径部の先端から流出した洗浄水が導入されるバッファ室と、前記筒体の中心軸に対して互いに非対称な関係で各々が傾斜すると共に前記バッファ室に連通した複数の吐水孔が形成され前記縮径部よりも径方向に大きな散水板と、を有する前記縮径部の先端に設けられたヘッドと、
を備え、
前記流入室は、前記筒体の動きを案内するガイド壁を有し、
前記開口部は、前記流入室に近接して設けられ前記筒体の動きを案内する天井壁と、前記天井壁よりも前記外部の側に設けられ前記筒体の動きを案内する開口壁と、を有し、
前記筒体は、前記ガイド壁と前記天井壁と前記開口壁とに当接した状態で前記流入室の中心軸に対して傾きながら前記流入室の中心軸のまわりに首振り公転し、且つ前記筒体自身の中心軸のまわりに自転し、
前記筒体が前記首振り公転及び自転しているときの前記筒体と前記天井壁との当接状態は、略直線状態または略曲線状態であることを特徴とする吐水装置。
【請求項３】
前記筒体が前記首振り公転及び自転しているときの前記筒体と前記ガイド壁との当接状態は、略直線状態であることを特徴とする請求項１または２に記載の吐水装置。
【請求項４】
前記筒体が前記首振り公転及び自転しているときの前記筒体と前記開口壁との当接状態は、略直線状態であることを特徴とする請求項１または２に記載の吐水装置。
【請求項５】
前記筒体が前記首振り公転及び自転しているときの前記筒体と前記ガイド壁との当接状態は、略直線状態であり、
前記筒体が前記首振り公転及び自転しているときの前記筒体と前記開口壁との当接状態は、略直線状態であることを特徴とする請求項１または２に記載の吐水装置。
【発明の詳細な説明】
【技術分野】
【０００１】
本発明の態様は、一般的に、吐水方向（吐水軌跡）を変化させながらシャワー状の吐水流を吐水する吐水装置に関する。
【背景技術】
【０００２】
少ない流量で広範囲に密度のより高い吐水を実現するため、ノズルやシャワーヘッドなどを揺動させて吐水する吐水装置がある。そして、吐水体（ノズル）が収容された旋回室（チャンバー）内に形成される旋回流によって、ノズルを公転させたり自転させながら吐水を行わせる吐水装置や流体噴出装置がある（特許文献１および特許文献２）。また、ウォブリングタービンが収容されたチャンバー内に形成される旋回流によって、ウォブリングタービンを揺動させながら吐水を行わせる流体送出装置がある（特許文献３）。
【０００３】
しかしながら、ノズルが公転や自転などの回転を長期間行った場合には、そのノズルの回転力により、ノズルの姿勢をガイドする部材（例えば、旋回室を有する部材など）やノズル自体が摩耗する。その結果、吐水軌道および吐水範囲が乱れるという問題がある。吐水範囲が予め設定された吐水範囲よりも大きくなると、水（湯も含まれる。以下、本願明細書において同じ。）が広範囲に飛散するため、吐水のエネルギーは効率的に使用されない。さらに、吐水範囲が広がることにより水の密度が低くなるため、水が外気の影響を受けやすく放熱して、吐水のエネルギーは効率的に使用されない。
【０００４】
また、ノズルの回転力により発生する摩擦力を利用した回転（例えば、自転など）においても、ノズルの姿勢をガイドする部材やノズル自体が摩耗することにより、そのノズルの回転の安定性が損なわれ、回転数が変化するという問題がある。ノズルの回転数（自転数）が小さくなると、吐水が当たらない「疎」の部分が生じ、水膜が満遍なく形成されない。その結果、吐水のエネルギーが効率良く伝わらず、温まり感（加温力）や洗浄力が劣るおそれがある。一方、ノズルの回転数（自転数）が大きくなると、例えばシャワーを浴びる使用者が、吐水の動きから得られる刺激を感じにくくなり、マッサージ感を得にくくなるおそれがある。
【特許文献１】特許第３５１８５４２号公報
【特許文献２】特許第３４２２７８６号公報
【特許文献３】特表２００２−５２０１５６号公報
【発明の開示】
【発明が解決しようとする課題】
【０００５】
本発明の態様は、かかる課題の認識に基づいてなされたものであり、ノズルの摩耗を低減させることで、ノズルの回転を安定化できる吐水装置を提供する。
【課題を解決するための手段】
【０００６】
本発明の一態様によれば、洗浄水が流入する流入室と、前記流入室の内部と外部とを連通する開口部と、を有するガイド部材と、前記開口部より小径な縮径部を有し、前記縮径部の先端を前記開口部から前記ガイド部材の外部に突出させた状態で前記流入室の内部に設けられ、前記流入室に流入した洗浄水を前記縮径部の先端から流出可能な筒体と、を備え、前記筒体は、前記縮径部の先端に前記筒体の中心軸に対して非対称な関係で傾斜し、前記縮径部に連通した吐水孔を有し、前記流入室は、前記筒体の動きを案内するガイド壁を有し、前記開口部は、前記流入室に近接して設けられ前記筒体の動きを案内する天井壁と、前記天井壁よりも前記外部の側に設けられ前記筒体の動きを案内する開口壁と、を有し、前記筒体は、前記ガイド壁と前記天井壁と前記開口壁とに当接した状態で前記流入室の中心軸に対して傾きながら前記流入室の中心軸のまわりに首振り公転し、且つ前記筒体自身の中心軸のまわりに自転し、前記筒体が前記首振り公転及び自転しているときの前記筒体と前記天井壁との当接状態は、略直線状態または略曲線状態であることを特徴とする吐水装置が提供される。
【０００７】
また、本発明の他の一態様によれば、洗浄水が流入する流入室と、前記流入室の内部と外部とを連通する開口部と、を有するガイド部材と、前記開口部より小径な縮径部を有し、前記縮径部の先端を前記開口部から前記ガイド部材の外部に突出させた状態で前記流入室の内部に設けられ、前記流入室に流入した洗浄水を前記縮径部の先端から流出可能な筒体と、前記縮径部の先端から流出した洗浄水が導入されるバッファ室と、前記筒体の中心軸に対して互いに非対称な関係で各々が傾斜すると共に前記バッファ室に連通した複数の吐水孔が形成され前記縮径部よりも径方向に大きな散水板と、を有する前記縮径部の先端に設けられたヘッドと、を備え、前記流入室は、前記筒体の動きを案内するガイド壁を有し、前記開口部は、前記流入室に近接して設けられ前記筒体の動きを案内する天井壁と、前記天井壁よりも前記外部の側に設けられ前記筒体の動きを案内する開口壁と、を有し、前記筒体は、前記ガイド壁と前記天井壁と前記開口壁とに当接した状態で前記流入室の中心軸に対して傾きながら前記流入室の中心軸のまわりに首振り公転し、且つ前記筒体自身の中心軸のまわりに自転し、前記筒体が前記首振り公転及び自転しているときの前記筒体と前記天井壁との当接状態は、略直線状態または略曲線状態であることを特徴とする吐水装置が提供される。
【発明の効果】
【０００８】
本発明の態様によれば、ノズルの摩耗を低減させることで、ノズルの回転を安定化できる吐水装置が提供される。
【発明を実施するための最良の形態】
【０００９】
第１の発明は、洗浄水が流入する流入室と、前記流入室の内部と外部とを連通する開口部と、を有するガイド部材と、前記開口部より小径な縮径部を有し、前記縮径部の先端を前記開口部から前記ガイド部材の外部に突出させた状態で前記流入室の内部に設けられ、前記流入室に流入した洗浄水を前記縮径部の先端から流出可能な筒体と、を備え、前記筒体は、前記縮径部の先端に前記筒体の中心軸に対して非対称な関係で傾斜し、前記縮径部に連通した吐水孔を有し、前記流入室は、前記筒体の動きを案内するガイド壁を有し、前記開口部は、前記流入室に近接して設けられ前記筒体の動きを案内する天井壁と、前記天井壁よりも前記外部の側に設けられ前記筒体の動きを案内する開口壁と、を有し、前記筒体は、前記ガイド壁と前記天井壁と前記開口壁とに当接した状態で前記流入室の中心軸に対して傾きながら前記流入室の中心軸のまわりに首振り公転し、且つ前記筒体自身の中心軸のまわりに自転し、前記筒体が前記首振り公転及び自転しているときの前記筒体と前記天井壁との当接状態は、略直線状態または略曲線状態であることを特徴とする吐水装置である。
【００１０】
この吐水装置によれば、筒体と天井壁との接触面積を大きくすることで、筒体と天井壁との摩耗を低減できる。そのため、吐水装置の運転時間（吐水時間）が増加しても、筒体と天井壁との接触状態の変化を低減できる。すなわち、筒体の自転数の変化を低減することができ、筒体の回転を安定化できる。また、吐水孔は筒体の中心軸に対して非対称な関係で傾斜しているため、筒体が首振り公転および自転することにより広範囲に吐水することができる。
【００１１】
また、第２の発明は、洗浄水が流入する流入室と、前記流入室の内部と外部とを連通する開口部と、を有するガイド部材と、前記開口部より小径な縮径部を有し、前記縮径部の先端を前記開口部から前記ガイド部材の外部に突出させた状態で前記流入室の内部に設けられ、前記流入室に流入した洗浄水を前記縮径部の先端から流出可能な筒体と、前記縮径部の先端から流出した洗浄水が導入されるバッファ室と、前記筒体の中心軸に対して互いに非対称な関係で各々が傾斜すると共に前記バッファ室に連通した複数の吐水孔が形成され前記縮径部よりも径方向に大きな散水板と、を有する前記縮径部の先端に設けられたヘッドと、を備え、前記流入室は、前記筒体の動きを案内するガイド壁を有し、前記開口部は、前記流入室に近接して設けられ前記筒体の動きを案内する天井壁と、前記天井壁よりも前記外部の側に設けられ前記筒体の動きを案内する開口壁と、を有し、前記筒体は、前記ガイド壁と前記天井壁と前記開口壁とに当接した状態で前記流入室の中心軸に対して傾きながら前記流入室の中心軸のまわりに首振り公転し、且つ前記筒体自身の中心軸のまわりに自転し、前記筒体が前記首振り公転及び自転しているときの前記筒体と前記天井壁との当接状態は、略直線状態または略曲線状態であることを特徴とする吐水装置である。
【００１２】
この吐水装置によれば、吐水孔を複数備えたヘッドの場合、自転作用を付与することで、広範囲に密な吐水を実現できる。また、筒体と天井壁との接触面積を大きくすることで、筒体と天井壁との摩耗を低減できる。そのため、吐水装置の運転時間（吐水時間）が増加しても、筒体と天井壁との接触状態の変化を低減できる。すなわち、筒体の自転数の変化を低減して安定化でき、吐水軌跡の乱れを低減できる。
【００１３】
また、第３の発明は、第１または第２の発明において、前記筒体が前記首振り公転及び自転しているときの前記筒体と前記ガイド壁との当接状態は、略直線状態であることを特徴とする吐水装置である。  
この吐水装置によれば、筒体とガイド壁との接触面積を大きくすることで、筒体とガイド部材全体との接触面積をより大きくでき、筒体とガイド部材との摩耗をより低減できる。そのため、吐水装置の運転時間（吐水時間）が増加しても、筒体とガイド部材との接触状態の変化をより低減できる。すなわち、筒体の自転数の変化を低減することができ、筒体の回転を安定化できる。
【００１４】
また、第４の発明は、第１または第２の発明において、前記筒体が前記首振り公転及び自転しているときの前記筒体と前記開口壁との当接状態は、略直線状態であることを特徴とする吐水装置である。  
この吐水装置によれば、筒体と開口壁との接触面積を大きくすることで、筒体とガイド部材全体との接触面積をより大きくでき、筒体とガイド部材との摩耗をより低減できる。そのため、吐水装置の運転時間（吐水時間）が増加しても、筒体とガイド部材との接触状態の変化をより低減できる。すなわち、筒体の自転数の変化を低減することができ、筒体の回転を安定化できる。
【００１５】
また、第５の発明は、第１または第２の発明において、前記筒体が前記首振り公転及び自転しているときの前記筒体と前記ガイド壁との当接状態は、略直線状態であり、前記筒体が前記首振り公転及び自転しているときの前記筒体と前記開口壁との当接状態は、略直線状態であることを特徴とする吐水装置である。  
この吐水装置によれば、筒体とガイド部材との全ての当接箇所において接触面積を大きくすることで、筒体とガイド部材全体との接触面積をより大きくでき、筒体とガイド部材との摩耗をより低減できる。そのため、吐水装置の運転時間（吐水時間）が増加しても、筒体とガイド部材との接触状態の変化をより低減できる。すなわち、筒体の自転数の変化をより低減することができ、筒体の回転をより安定化できる。
【００１６】
以下、本発明の実施の形態について図面を参照しつつ説明する。なお、各図面中、同様の構成要素には同一の符号を付して詳細な説明は適宜省略する。  
図１は、本発明の第１の実施の形態にかかる吐水装置の内部を表す模式図である。  
また、図２は本実施形態にかかる吐水装置の一部を表す模式図である。なお、図２（ａ）は、ガイド部材の開口部を拡大して眺めた模式拡大図であり、図２（ｂ）は、筒体を表す模式図である。
【００１７】
本実施形態の吐水装置は、ガイド部材１０と、ガイド蓋３０と、筒体（ノズル）４０と、を備えている。ガイド部材１０は、内部に孔が形成された構造を有する。ガイド部材１０の内部には、その直径方向に延びる旋回室（流入室）１２が形成されている。旋回室１２の軸方向の一端部には、旋回室１２の内部と外部とを連通する開口部１４が設けられている。旋回室１２の開口部１４側には、図２（ａ）に表したように、ガイド壁２２が設けられている。また、開口部１４には、旋回室１２に近接して設けられた天井壁２４と、天井壁２４よりも外側に設けられた開口壁２６と、が設けられている。天井壁２４と開口壁２６は、それぞれ旋回室１２の中心軸Ｃ１に対して傾いた状態で形成されている。
【００１８】
旋回室１２の軸方向の他端部側には旋回室壁１８が形成され、その径外方には流入孔１６が形成されている。流入孔１６は、旋回室１２の内部及びガイド部材１０の外部に通じている。ガイド部材１０の外部から流入孔１６に導かれた水（洗浄水）は、流入孔１６を介して旋回室１２に対して接線方向から流入し、旋回室１２の内部には水の旋回流が形成される。これについては、後に詳述する。なお、本願明細書において「水」というときは、冷水のみならず、加熱されたお湯も含むものとする。
【００１９】
開口部１４の内壁２８の内径寸法Ｄ１は旋回室壁１８の内径寸法Ｄ２より小さく、開口部１４はその中心軸を旋回室１２の中心軸Ｃ１と一致させている。ガイド部材１０とガイド蓋３０との間には、シールリング３５が介在し、ガイド部材１０とガイド蓋３０とは互いに液密に固定されている。なお、ガイド部材１０については、例えば樹脂や金属などにより形成することができる。ガイド部材１０を金属により形成した場合には、ガイド部材１０の質量が重くなるため、後に詳述する筒体４０の揺動による振動は外部へ伝わり難くなる。
【００２０】
筒体４０は、図２（ｂ）に表したように、縮径部４２と傾斜部４４と大径部４６とを有する概略ボトル形状に形成されている。大径部４６の外径寸法Ｄ４は、旋回室壁１８の内径寸法Ｄ２およびガイド壁２２の内径寸法Ｄ３より小さく、大径部４６は旋回室１２の内部に収容されている。その大径部４６に一体に設けられた縮径部４２の外径寸法Ｄ５は、開口部１４の内壁２８の内径寸法Ｄ１より小さく、縮径部４２は開口部１４を貫通して、その先端がガイド部材１０の外部に突出している。縮径部４２および傾斜部４４については、例えば金属などにより形成することができ、一方、大径部４６については、例えば樹脂などにより形成することができる。また、縮径部４２、傾斜部４４、および大径部４６は、樹脂や金属などにより一体構造として形成されていてもよい。さらに、図２（ｂ）に表した傾斜部４４は、図２（ｃ）に表した筒体４０ａの傾斜部４４ａのような球面状であってもよい。
【００２１】
筒体４０と旋回室１２とが互いの中心軸を一致させた状態では、縮径部４２の外周面と開口部１４の内壁２８との間に僅かな隙間が形成され、さらに大径部４６の外周面と旋回室壁１８との間にも隙間が形成される。筒体４０は、ガイド部材１０に対して固定されておらず、自由に自転したり揺動を行う首振り公転することが可能となっている。
【００２２】
筒体４０の軸方向の両端は開口され、図１に表した矢印のように、大径部４６側の開口４８から筒体４０内部に流入した水は、筒体４０内部を軸方向に流れて、縮径部４２側の吐水孔５２から筒体４０の外部に流出可能である。また、筒体４０の大径部４６の周面（側面）には、周方向に等間隔で間欠的に配置された複数の貫通孔５４が形成され、旋回室１２内に流入した水は、それら貫通孔５４を介しても筒体４０の内部に導かれて縮径部４２側の吐水孔５２から流出可能である。
【００２３】
そして、後に詳述するように、旋回室１２の内部に形成された水の旋回流の力を受けることで、筒体４０は、図１に表したように旋回室１２の中心軸Ｃ１に対して傾きながら、その中心軸Ｃ１のまわりに公転する。なお、本願明細書において、旋回室１２の中心軸Ｃ１に対して傾きながら、その中心軸Ｃ１のまわりに公転することを「首振り公転」と称する。また、筒体４０が首振り公転しているとき、大径部４６の側面（周面）がガイド壁２２に接触し、傾斜部４４が天井壁２４に接触し、且つ縮径部４２が開口壁２６に接触して動摩擦力を受けることで、筒体４０は自身の中心軸Ｃ２のまわりに自転する。つまり、筒体４０は、ガイド壁２２と、天井壁２４と、開口壁２６と、に案内（ガイド）されつつ首振り公転および自転する。
【００２４】
吐水孔５２は、筒体４０の中心軸Ｃ２に対して非対称な関係で傾斜し、縮径部４２に連通している。そのため、筒体４０が首振り公転および自転することにより、縮径部４２の外径寸法Ｄ５あるいは大径部４６の外径寸法Ｄ４よりも大きな円を描くように吐水流は移動する。すなわち、吐水孔５２が傾斜していることにより、本実施形態にかかる吐水装置は広範囲に吐水することができる。
【００２５】
図３は、筒体の傾斜部近傍を拡大して眺めた拡大模式図である。なお、図３（ａ）は、本実施形態にかかる吐水装置の筒体の傾斜部近傍を表しており、図３（ｂ）は、比較例にかかる吐水装置の筒体の傾斜部近傍を表している。
【００２６】
前述したように、大径部４６側の開口４８から筒体４０内部に流入した水は、筒体４０内部を軸方向に流れて、縮径部４２側の吐水孔５２から筒体４０の外部に流出する。このとき、筒体４０は、その内部に流入した水の水圧を受け、旋回室１２の開口部１４側へ力を受ける。また、筒体４０は、首振り公転および自転するため、その回転による遠心力を受ける。その結果、筒体４０の傾斜部４４は、水圧と遠心力とを受けてガイド部材１０の天井壁２４に押し付けられる。そして、筒体４０は、天井壁２４に押し付けられた状態で首振り公転および自転する。そのため、筒体４０の傾斜部４４と、ガイド部材１０の天井壁２４と、は互いに摩擦力を受ける。
【００２７】
ここで、図３（ｂ）に表したように、比較例のガイド部材７０が、天井壁ではなく略円弧状のラウンド部７４を有している場合には、傾斜部４４とラウンド部７４とは略点で当接する。傾斜部４４とラウンド部７４とが略直線ではなく略点で当接するのは、傾斜部４４とラウンド部７４との径が異なるためである。そして、筒体４０は、傾斜部４４とラウンド部７４とが略点で当接した状態で首振り公転および自転する。また、ガイド部材７０が天井壁を有していても、中心軸Ｃ１に対する天井壁の傾きが、中心軸Ｃ１に対する首振り公転時の傾斜部４４の傾きと異なる場合には、傾斜部４４とその天井壁とは略点で当接する。
【００２８】
傾斜部４４とラウンド部７４とが略点で当接した場合には、接触面積がより小さいため押し付け力による圧力はより大きい。そのため、吐水装置の運転時間（吐水時間）が増加するにつれて、傾斜部４４とラウンド部７４とは、より大きく摩耗するおそれがある。例えば、傾斜部４４およびラウンド部７４の製造過程において「バリ」や「傷」などが付いていた場合には、その「バリ」や「傷」などにより大きく摩耗するおそれがある。
【００２９】
これにより、傾斜部４４とラウンド部７４との接触状態が変化し、筒体４０の自転数が変化するおそれがある。このように、筒体４０の回転の安定性が損なわれ、自転数が低下すると、吐水が当たらない「疎」の部分が生じ、水膜が満遍なく形成されないおそれがある。その結果、吐水のエネルギーが効率良く伝わらず、加温力や洗浄力が劣るおそれがある。一方、筒体４０の回転の安定性が損なわれ、自転数が上昇すると、例えばシャワーを浴びる使用者が、吐水の動きから得られる刺激を感じにくくなり、マッサージ感を得にくくなるおそれがある。
【００３０】
これに対して、本実施形態のガイド部材１０は、ラウンド部ではなく天井壁４４を有している。ガイド部材１０を軸方向に切断した場合における天井壁４４の断面形状は、図３（ａ）に表したように、所定長さを有する略直線形状を有している。そして、中心軸Ｃ１に対する天井壁２４の傾きは、中心軸Ｃ１に対する首振り公転時の傾斜部４４の傾きと略同じである。
【００３１】
そのため、筒体４０の傾斜部４４と天井壁２４とは、略直線で当接する。傾斜部４４と天井壁２４とが略面ではなく略直線で当接するのは、傾斜部４４と天井壁２４との径が異なるためである。そして、筒体４０は、傾斜部４４と天井壁２４とが略直線で当接した状態で首振り公転および自転する。傾斜部４４と天井壁２４とが略直線で当接した場合には、接触面積がより大きいため押し付け力による圧力はより小さい。そのため、本実施形態の吐水装置は、傾斜部４４と天井壁２４との摩耗を低減できる。
【００３２】
また、図２（ｃ）に表した筒体４０ａのように球面状の傾斜部４４ａを有する場合であって、軸方向に切断した傾斜部４４ａの断面形状の曲率と、軸方向に切断した天井壁の断面形状の曲率と、が略同じである場合には、傾斜部４４ａと天井壁とは略曲線（略円弧）で当接する。この場合であっても、傾斜部４４ａと天井壁との接触面積はより大きいため、押し付け力による圧力はより小さい。そのため、傾斜部４４ａと天井壁との摩擦を低減できる。
【００３３】
これより、吐水装置の運転時間（吐水時間）が増加しても、傾斜部４４と天井壁２４との接触状態の変化を低減できる。そのため、筒体４０の自転数の変化を低減することができ、筒体４０の回転を安定化できる。筒体４０の回転が安定化すると、少ない流量で広範囲に密度のより高い吐水を実現できる。その結果、吐水のエネルギーを効率よく伝えることができ、加温力や洗浄力をより高めることができる。そして例えば、本実施形態の吐水装置を浴室のシャワーとして使用した場合には、使用者の温まり感をより高めることができ、さらに吐水の動きからの刺激を感じやすくなり、マッサージ感を得ることができる。
【００３４】
図４は、筒体の大径部近傍を拡大して眺めた拡大模式図である。なお、図４（ａ）は、本実施形態にかかる吐水装置の筒体の大径部近傍を表しており、図４（ｂ）は、比較例にかかる吐水装置の筒体の大径部近傍を表している。  
図３に関して前述したように、筒体４０は、水の水圧と自身の首振り公転による遠心力とを受ける。そのため、筒体４０の大径部４６は、ガイド壁２２に押し付けられる。そして、筒体４０は、ガイド壁２２に押し付けられた状態で首振り公転および自転する。そのため、筒体４０の大径部４６と、ガイド壁２２と、は互いに摩擦力を受ける。
【００３５】
ここで、図４（ｂ）に表したように、比較例のガイド部材８０のガイド壁８２が、旋回室１２の中心軸Ｃ１と略平行した状態で形成されている場合には、図４（ｂ）に表した領域Ｅにおいて、大径部４６とガイド壁８２とは略点で当接する。大径部４６とガイド壁８２とが略直線ではなく略点で当接するのは、大径部４６とガイド壁８２との径が異なるためである。そして、筒体４０は、大径部４６とガイド壁８２とが略点で当接した状態で首振り公転および自転する。
【００３６】
また、ガイド壁８２が、旋回室１２の中心軸Ｃ１に対して傾いた状態で形成されていても、その傾きが、中心軸Ｃ１に対する首振り公転時の大径部４６の傾きと異なる場合には、大径部４６とガイド壁８２とは略点で当接する。このように、大径部４６とガイド壁８２とが略点で当接した状態で、筒体４０が首振り公転および自転すると、図３に関して前述したように、大径部４６とガイド壁８２とは、より大きく摩耗するおそれがある。その結果、大径部４６とガイド壁８２との接触状態が変化し、筒体４０の自転数が変化するおそれがある。
【００３７】
これに対して、本実施形態の吐水装置においては、中心軸Ｃ１に対するガイド壁２２の傾きは、図４（ａ）に表したように、中心軸Ｃ１に対する首振り公転時の大径部４６の傾きと略同じである。そのため、筒体４０の大径部４６とガイド壁２２とは、略直線で当接する。大径部４６とガイド壁２２とが略面ではなく略直線で当接するのは、大径部４６とガイド壁２２との径が異なるためである。そして、筒体４０は、大径部４６とガイド壁２２とが略直線で当接した状態で首振り公転および自転する。大径部４６とガイド壁２２とが略直線で当接した場合には、接触面積がより大きいため押し付け力による圧力はより小さい。そのため、本実施形態の吐水装置は、大径部４６とガイド壁２２との摩耗を低減できる。
【００３８】
これより、吐水装置の運転時間（吐水時間）が増加しても、大径部４６とガイド壁２２との接触状態の変化を低減できる。そのため、筒体４０の自転数の変化を低減することができ、筒体４０の回転を安定化できる。筒体４０の回転が安定化すると、図３に関して前述したように、吐水のエネルギーを効率よく伝えることができ、加温力や洗浄力をより高めることができる。また、その他の効果についても同様に得ることができる。
【００３９】
図５は、筒体の縮径部近傍を拡大して眺めた拡大模式図である。なお、図５（ａ）は、本実施形態にかかる吐水装置の筒体の縮径部近傍を表しており、図５（ｂ）は、比較例にかかる吐水装置の筒体の縮径部近傍を表している。  
前述したように、筒体４０が首振り公転しているとき、縮径部４２は開口部１４の開口壁２６に接触して動摩擦力を受ける。そして、筒体４０は、この動摩擦力を受けることで自身の中心軸Ｃ２のまわりに自転する。そのため、筒体４０の縮径部４２と、開口壁２６と、は互いに摩擦力を受ける。
【００４０】
ここで、図５（ｂ）に表したように、比較例のガイド部材９０の開口壁９６が、筒体４０の吐水孔５２（図１参照）に向かって大きく開いた状態で形成されている場合には、図５（ｂ）に表した領域Ｆにおいて、縮径部４２と開口壁９６とは略点で当接する。縮径部４２と開口壁９６とが略直線ではなく略点で当接するのは、縮径部４２と開口壁９６との径が異なるためである。そして、筒体４０は、縮径部４２と開口壁９６とが略点で当接した状態で首振り公転および自転する。
【００４１】
また、比較例のガイド部材９０の開口壁９６が、筒体４０の吐水孔５２に向かって大きく開いた状態で形成されていなくとも、中心軸Ｃ１に対する開口壁９６の傾きが、中心軸Ｃ１に対する首振り公転時の縮径部４２の傾きと異なる場合には、縮径部４２と開口壁９６とは略点で当接する。このように、縮径部４２と開口壁９６とが略点で当接した状態で、筒体４０が首振り公転および自転すると、図３に関して前述したように、縮径部４２と開口壁９６とは、より大きく摩耗するおそれがある。その結果、縮径部４２と開口壁９６との接触状態が変化し、筒体４０の自転数が変化するおそれがある。
【００４２】
これに対して、本実施形態の吐水装置においては、中心軸Ｃ１に対する開口壁２６の傾きは、図５（ａ）に表したように、中心軸Ｃ１に対する首振り公転時の縮径部４２の傾きと略同じである。そのため、筒体４０の縮径部４２と開口壁２６とは、略直線で当接する。縮径部４２と開口壁２６とが略面ではなく略直線で当接するのは、縮径部と開口壁２６との径が異なるためである。そして、筒体４０は、縮径部４２と開口壁２６とが略直線で当接した状態で首振り公転および自転する。縮径部４２と開口壁２６とが略直線で当接した場合には、接触面積がより大きいため押し付け力による圧力はより小さい。そのため、本実施形態の吐水装置は、縮径部４２と開口壁２６との摩耗を低減できる。
【００４３】
これより、吐水装置の運転時間（吐水時間）が増加しても、縮径部４２と開口壁２６との接触状態の変化を低減できる。そのため、筒体４０の自転数の変化を低減することができ、筒体４０の回転を安定化できる。筒体４０の回転が安定化すると、図３に関して前述したように、吐水のエネルギーを効率よく伝えることができ、加温力や洗浄力をより高めることができる。また、その他の効果についても同様に得ることができる。
【００４４】
なお、傾斜部４４と天井壁２４との接触状態、大径部４６とガイド壁２２との接触状態、および縮径部４２と開口壁２６との接触状態が、図３〜図５に関して前述したような略直線であるか否かについては、例えばマーキングペンなどで筒体４０の傾斜部４４、大径部４６、および縮径部４２に塗料（しるし）を付けた状態で運転（吐水）させ、その塗料の付着状態（残った状態）を見ることで判断できる。このときの流量については通常の使用状態に設定し、運転時間（吐水時間）については約１０分間〜２０分間程度に設定すればよい。
【００４５】
そして、傾斜部４４、大径部４６、および縮径部４２に付けた塗料（しるし）が、吐水終了後にそれぞれ略全部剥がれていた場合には、それぞれの接触状態は略直線であったと判断できる。これに対して、塗料（しるし）が略直線的に剥がれていた場合には、それぞれの接触状態は略点であったと判断できる。なお、「しるし」として付ける塗料は、吐水によって剥がれない、例えば油性のマーキングペンなどがより好ましい。
【００４６】
次に、吐水装置の筒体の動作および水の流れについて、図面を参照しつつ説明する。  
図６〜図８は、旋回室およびこの内部に収容された筒体（の大径部）を平面方向から眺めた模式図であり、図１におけるＡ−Ａ断面に対応する。
【００４７】
配管１５から導かれた水は、ガイド部材１０に形成された流入孔１６を介して、断面形状略円形状の旋回室１２に対して接線方向からその内部に流入し、これにより、旋回室１２の中心軸Ｃ１のまわりに旋回した水の流れ（旋回流）が旋回室１２の内部に形成される（図６（ａ））。旋回室１２の内部に収容された筒体４０（の大径部４６）は、旋回流から力（抗力）を受ける。また、筒体４０が旋回流から抗力を受けて動き始めると、筒体４０は僅かに揚力と遠心力とを受ける（図６（ａ））。
【００４８】
そうすると、筒体４０は、図１に表したように旋回室１２の中心軸Ｃ１に対して傾きながら、旋回流の方向と同じ方向に旋回室１２の中心軸Ｃ１のまわりに公転を始める（図６（ｂ））。そして、筒体４０は、旋回流に乗って順次抗力と揚力と遠心力とを受けて、中心軸Ｃ１のまわりに公転する（図７および図８）。このとき、筒体４０の傾斜部４４が開口部１４の天井壁２４に当接し、大径部４６がガイド壁２２に当接し、且つ縮径部４２が開口壁２６に当接することで、旋回室１２の中心軸Ｃ１の対する筒体４０のそれ以上の傾きが規制される。
【００４９】
旋回室１２の中心軸Ｃ１に対して筒体４０が傾きながら中心軸Ｃ１のまわりに公転すると、筒体４０は、縮径部４２が開口壁２６と接触する部分近傍（旋回室１２の中心軸Ｃ１と筒体４０の中心軸Ｃ２との交点）を中心にして縮径部４２の先端が首を振っているように揺動する。したがって、縮径部４２の吐水孔５２から吐水された水は、後に詳述するように、首振り公転に起因する軌跡を描く。
【００５０】
図９〜図１１は、旋回室およびこの内部に収容された筒体（の大径部）を平面方向から眺めた模式図であり、図１におけるＢ−Ｂ断面に対応する。  
旋回室１２の中心軸Ｃ１と筒体４０の中心軸Ｃ２とが一致している状態（図９（ａ））から、筒体４０が、図６〜図８に関して前述したように首振り公転を始めると、筒体４０の大径部４６はガイド壁２２に当接する（図９（ｂ））。そして、筒体４０がさらに首振り公転すると、筒体４０の大径部４６はガイド壁２２との接触部分において摩擦力を受ける。この摩擦力の方向は、筒体４０の首振り公転の方向と反対方向である。
【００５１】
この摩擦力により、筒体４０はガイド壁２２との接触部位を変えずにそのまま接触した状態で旋回室１２内を滑って移動していくのではなく、ガイド壁２２を転がりながら首振り公転する。筒体４０がガイド壁２２を転がるということは、筒体４０が自身の中心軸Ｃ２のまわりに自転するということである。その自転の方向は、図９（ｂ）に表したように、摩擦力と同じ方向、すなわち首振り公転と反対方向である。続いて、筒体４０は、首振り公転をしながら順次摩擦力を受けて、中心軸Ｃ２のまわりに自転する（図１０および図１１）。
【００５２】
すなわち、筒体４０は自身の中心軸Ｃ２のまわりに自転しつつ、旋回室１２の中心軸Ｃ１のまわりに首振り公転する。旋回室１２の中心軸Ｃ１のまわりの筒体４０の公転方向は、旋回室１２に形成される旋回流の旋回方向と同方向であり、筒体４０の自身の中心軸Ｃ２のまわりの自転方向は公転方向とは逆方向である。尚、この自転に関しては、筒体４０はガイド壁２２との接触面の動摩擦係数や、筒体４０の大径部４６の材質、形状や、流入孔１６からの流入速度や、旋回室１２と大径部４６との隙間、などで自転方向や自転数を制御することができる。
【００５３】
次に、本実施形態の変形例について図面を参照しつつ説明する。  
図１２は、本実施形態の変形例にかかる吐水装置を例示する模式図である。  
また、図１３は、本変形例の吐水装置が有する筒体を表す模式図である。なお、図１３（ａ）は、本変形例の吐水装置が有する筒体を一部破断して表した断面模式図であり、図１３（ｂ）は、図１３（ａ）における矢視Ｘの方向に眺めた平面模式図である。
【００５４】
本変形例にかかる吐水装置は、筒体の首振り公転と自転とを起こすエネルギを、流体（洗浄水）から筒体に直接与える。そこで、本変形例にかかる吐水装置では、ガイド部材２１０の内部に、洗浄水が流入する円筒状に形成された回転室（流入室）２１２が形成されている。洗浄水は、この回転室２１２に流入路２５３を経て流入する。そのため、回転室２１２には、図１に表した旋回室１２のようには、流入孔１６は形成されていない。流入路２５３は、回転室２１２の中心に接続されている。そして、流入路２５３の通路断面積は、回転室２１２へと流体を導く通路２５７の通路断面積より小さい。よって、回転室２１２に流入する洗浄水の流速を高めることができる。
【００５５】
本変形例の吐水装置が有する筒体２４０は、図１３に表したように、図２（ｂ）に表した筒体４０と同様に縮径部４２と傾斜部４４と大径部４６とを有する概略ボトル形状に形成されている。この筒体２４０は、回転室２１２内の洗浄水を吐水孔５２へと導くための十字状の導入管路２２８および軸方向管路２３０を有する。そして、筒体２４０には、図２（ｂ）に表した筒体４０のようには、周面に貫通孔５４は形成されておらず、開口４８も形成されていない。したがって、本変形例においては、回転室２１２に流入した洗浄水は、導入管路２２８および軸方向管路２３０を経て筒体２４０の内部に導かれて吐水孔５２から流出可能である。
【００５６】
また、筒体２４０は、大径部４６の下端に軸流羽根２６４を有する。この軸流羽根２６４は、流入路２５３から回転室２１２に入り込んだ洗浄水の流れを直接受け、これを筒体２４０の駆動力に変える。洗浄水は、小径の流入路２５３から回転室２１２に入り込むので、高い流速で軸流羽根２６４にうち当たる。よって、筒体２４０は、大きな駆動力を受けて、筒体２４０自身の中心軸Ｃ２のまわりに自転する。なお、その他の構造については、図１〜図５に関して前述した吐水装置の構造と同様である。
【００５７】
この筒体２４０の挙動について、さらに詳細に説明する。流入路２５３から回転室２１２に洗浄水が供給されると、回転室２１２の内圧が高まり、筒体２４０の傾斜部４４はガイド部材２１０の天井壁２４（図２参照）に押し付けられる。そして、軸流羽根２６４が回転室２１２への洗浄水の流れを駆動力に変えるので、筒体２４０は、この駆動力を受けて筒体２４０自身の中心軸Ｃ２周りの自転運動を起こす。こうした自転運動を起こすと、傾斜部４４と天井壁２４との接触部で摩擦力が発生するので、この摩擦力を受けて、筒体２４０は、回転室２１２内でその中心軸Ｃ１周りの首振り公転運動を開始する。
【００５８】
本変形例の吐水装置のように、旋回流ではなく、軸流羽根２６４が回転室２１２への洗浄水の流れを駆動力に変える場合であっても、傾斜部４４は開口部１４の天井壁（図２参照）に略直線で当接し、大径部４６はガイド壁２２に略直線で当接し、縮径部４２は開口部１４の開口壁（図２参照）に略直線で当接しつつ、筒体２４０は首振り公転および自転する。
【００５９】
したがって、本変形例にかかる吐水装置においても、それぞれの当接箇所における摩耗を低減することができる。そのため、筒体２４０の回転を安定化させることができ、自転数の変化を低減できる。その結果、吐水のエネルギーを効率よく伝えることができ、加温力や洗浄力をより高めることができる。また、その他の効果についても同様に得ることができる。
【００６０】
図１４は、本実施形態の他の変形例にかかる吐水装置を例示する模式図である。  
本変形例にかかる吐水装置は、筒体の首振り公転と自転とをモータにて起こす。そこで、本変形例の吐水装置は、回転室（流入室）３１２の底面に、ディスク３７３を回転室３１２の中心軸Ｃ１を中心に回転自在に備え、このディスク３７３をガイド部材３１０の底面のモータ３７４にて回転駆動させる。ディスク３７３は、その回転軸から偏心した位置にピン３７５を有し、このピン３７５を、筒体３４０下端のピン孔３８４に挿入させている。したがって、筒体３４０は、モータ３７４の駆動力をディスク３７３のピン３７５から直接受けて、首振り公転する。また、流入孔１６から回転室３１２に洗浄水が流入すると、回転室３１２の内圧が高まり、筒体３４０の傾斜部４４はガイド部材３１０の天井壁２４（図２参照）に押し付けられる。
【００６１】
モータ３７４により筒体３４０が首振り公転すると、筒体３４０とガイド部材３１０との接触により摩擦力が発生するので、筒体３４０は、この摩擦力により筒体３４０自身の中心軸Ｃ２のまわりに自転する。よって、本変形例にかかる吐水装置は、筒体３４０を回転室３１２の中心軸Ｃ１周りに首振り公転させつつ筒体３４０自身の中心軸Ｃ２周りに自転させ、流入孔１６から流入した洗浄水を吐水孔５２から流出させることができる。なお、その他の構造については、図１〜図５に関して前述した吐水装置の構造と同様である。また、筒体３４０は、図１２および図１３に表した筒体２４０と同様に、回転室３１２内の洗浄水を吐水孔５２へと導くための十字状の導入管路２２８および軸方向管路２３０を有する。
【００６２】
本変形例の吐水装置のように、旋回流ではなく、筒体３４０の首振り公転と自転とをモータにて起こす場合であっても、傾斜部４４は開口部１４の天井壁（図２参照）に略直線で当接し、大径部４６はガイド壁２２に略直線で当接し、縮径部４２は開口部１４の開口壁（図２参照）に略直線で当接しつつ、筒体３４０は首振り公転および自転する。
【００６３】
したがって、本変形例にかかる吐水装置においても、それぞれの当接箇所における摩耗を低減することができる。そのため、筒体３４０の回転を安定化させることができ、自転数の変化を低減できる。その結果、吐水のエネルギーを効率よく伝えることができ、加温力や洗浄力をより高めることができる。また、その他の効果についても同様に得ることができる。
【００６４】
図１５は、本実施形態のさらに他の変形例にかかる吐水装置を例示する模式図である。  また、図１６は、本変形例の吐水装置の要部の概略を表す斜視模式図である。  
図１５に表したように、本変形例にかかる吐水装置では、ガイド部材４１０に形成した円筒状の回転室（流入室）４１２に、流入孔１６から洗浄水が流入する。本変形例にかかる吐水装置では、回転室４１２を円盤状の蓋体４９３で塞ぎ、この蓋体４９３は筒体４４０を保持している。蓋体４９３は、図１６に表したように、その周壁に小径のベアリング４９４を収納し、回転室４１２の周壁において、回転室４１２を水密にしたまま回転室４１２の中心軸Ｃ１周りを回転自在とされている。
【００６５】
筒体４４０は、自身の中心軸Ｃ２と交差する導入管路２２８と、この筒体４４０の中心軸Ｃ２と略並行した軸方向管路２３０と、を有する。また、吐水孔５２は、筒体４４０の中心軸Ｃ２の対して非対称な関係で傾斜している。そして、流入孔１６から回転室４１２に流入した洗浄水は、導入管路２２８および軸方向管路２３０を経て吐水孔５２から流出可能である。また、この筒体４４０は、蓋体４９３に対してベアリング４０５を介して回転自在に組み付けられ、その組み付けは、回転室４１２の中心軸Ｃ１に対して所定の傾斜角度で傾くようにされている。さらに、この筒体４４０は、下端にギヤ歯４０６を有し、回転室４１２の内周壁の内輪ギヤ４９６と噛み合うようにされている。
【００６６】
筒体４４０は、ガイド部材４１０の下面のモータ４９７と、鈎状の伝達シャフト４９８と、にて係合され、モータ駆動力を受けて駆動する。伝達シャフト４９８は、遊びを持って筒体４４０の下端に係合し、モータ４９７が回転すると、回転室４１２の中心軸Ｃ１から偏心してこの中心軸Ｃ１周りの回転を筒体４４０に伝達する。
【００６７】
本変形例にかかる吐水装置では、モータ４９７の回転により筒体４４０が回転室４１２の中心軸Ｃ１周りに回転する。この際、筒体４４０は、前述したように所定の傾斜角度で中心軸Ｃ１から傾斜していることから、この所定の傾斜角度で首振り状に公転することになる。そして、こうした首振り公転を起こしている際に、ギヤ歯４０６と内輪ギヤ４９６との噛み合いにより、筒体４４０は筒体４４０自身の中心軸Ｃ２周りの自転運動を起こす。よって、本変形例にかかる吐水装置は、筒体４４０を中心軸Ｃ１周りに首振り公転させつつ筒体４４０自身の中心軸Ｃ２周りに自転させ、洗浄水を吐水孔５２から流出させることができる。なお、その他の構造については、図１〜図５に関して前述した吐水装置の構造と同様である。
【００６８】
本変形例の吐水装置のように、旋回流ではなく、モータ４９７の駆動力を鈎状の伝達シャフト４９８を介して伝達して、筒体４４０の首振り公転と自転とを起こす場合であっても、傾斜部４４は開口部１４の天井壁（図２参照）に略直線で当接し、大径部４６はガイド壁２２に略直線で当接し、縮径部４２は開口部１４の開口壁（図２参照）に略直線で当接しつつ、筒体４４０は首振り公転および自転する。
【００６９】
したがって、本変形例にかかる吐水装置においても、それぞれの当接箇所における摩耗を低減することができる。そのため、筒体４４０の回転を安定化させることができ、自転数の変化を低減できる。その結果、吐水のエネルギーを効率よく伝えることができ、加温力や洗浄力をより高めることができる。また、その他の効果についても同様に得ることができる。
【００７０】
図１７は、通水時間に対する筒体の自転数の実測値を例示するグラフ図である。  
なお、図１７（ａ）は、本実施形態にかかる吐水装置の筒体の自転数を例示するグラフ図であり、図１７（ｂ）は、比較例にかかる吐水装置の筒体の自転数を例示するグラフ図である。また、横軸は通水時間（吐水時間）を表しており、縦軸は筒体の自転数を表している。
【００７１】
本実施形態にかかる吐水装置おいては、前述したように、傾斜部４４は天井壁２４に略直線で当接し、大径部４６はガイド壁２２に略直線で当接し、縮径部４２は開口壁２６に略直線で当接しつつ、筒体４０は首振り公転および自転する。そのため、それぞれの当接箇所における摩耗を低減することができる。その結果、本実施形態にかかる吐水装置は、図１７（ａ）に表したように、筒体４０の回転を安定化させることができ、自転数の変化を低減できる。
【００７２】
図１７（ａ）に表したように、本実施形態にかかる吐水装置おいては、筒体４０の自転数は、通水時間が５００時間以内に約２Ｈｚ程度から約３Ｈｚ程度へ変化しているが、その後は約３Ｈｚ前後を推移している。すなわち、筒体４０の自転数は、約３Ｈｚ前後で比較的安定している。
【００７３】
これに対して、比較例にかかる吐水装置においては、図３〜図５に関して前述したように、筒体４０とガイド部材１０とがそれぞれ略点で当接しつつ首振り公転および自転する。そのため、それぞれの当接箇所における摩耗はより大きい。その結果、比較例にかかる吐水装置においては、図１７（ｂ）に表したように、通水時間が増加するにつれて筒体４０の回転の安定性は損なわれ、自転数は変化する。
【００７４】
図１７（ｂ）に表したように、比較例にかかる吐水装置においては、筒体４０の自転数は、通水時間が５００時間以内に約１Ｈｚ程度から約２Ｈｚ程度へ変化し、通水時間が１５００時間近傍になると３Ｈｚへ変化している。さらに、通水時間が２０００時間近傍になると、４Ｈｚを超える場合もある。このように、比較例にかかる吐水装置においては、通水時間が増加するにつれて筒体４０の自転数が増加していく。
【００７５】
次に、本発明の第２の実施の形態について説明する。  
図１８は、本発明の第２の実施の形態にかかる吐水装置の内部を表す模式図である。  
また、図１９は、本実施形態にかかる吐水装置から吐水される吐水流の挙動を説明するための模式図である。
【００７６】
本実施形態の吐水装置は、第１の実施の形態にかかる吐水装置に対して、さらにヘッド１４０を備えている。その他の構造については、第１の実施の形態にかかる吐水装置の構造と同様である。  
ヘッド１４０は筒体４０よりも径方向寸法が大きな扁平状に形成され、その径方向の中心を筒体４０の中心軸Ｃ２に一致させている。ヘッド１４０は、漏斗状のバッファ部材１４１と散水板１４４とヘッドカバー１４７とを有する。バッファ部材１４１の細管部１４２の内部に筒体４０の縮径部４２の先端が嵌合固定され、これにより、筒体４０及びヘッド１４０は両者一体となって自転したり揺動を行う首振り公転する。
【００７７】
バッファ部材１４１の内部にはバッファ室１４３が形成され、筒体４０の縮径部４２の先端の開口５６はバッファ室１４３に臨んでいる。バッファ室１４３の径方向寸法は筒体４０の径方向寸法より大きく、バッファ室１４３には縮径部４２の先端から流出した水が一時的に貯留可能となっている。
【００７８】
散水板１４４は、バッファ室１４３における細管部１４２とは反対側の開口を塞ぐ蓋状に設けられている。散水板１４４は筒体４０よりも径方向寸法が大きな円盤状に形成され、散水板１４４にはその厚さ方向を貫通する複数の吐水孔１４５が形成されている。吐水孔１４５の一端はバッファ室１４３に連通し、他端はヘッド１４０の外部に臨んでいる。
【００７９】
複数の吐水孔１４５は、散水板１４４における少なくとも外周側部分に周方向に沿って形成されている。各々の吐水孔１４５は、その軸方向が筒体４０の中心軸Ｃ２に対して平行ではなく傾いている。本実施形態では、すべての吐水孔１４５が同じ方向に傾斜している。したがって、各々の吐水孔１４５は、筒体４０の中心軸Ｃ２に対して非対称な関係で傾斜している。すなわち、筒体４０の中心軸Ｃ２を中心にしてその中心軸Ｃ２まわりに散水板１４４を１８０度回転させたときと、１８０度回転させる前とで吐水孔１４５の傾斜方向が一致しない関係となっている。
【００８０】
旋回室１２に流入した水の一部は、前述したように、筒体４０の大径部４６側の端部の開口４８および側面に形成された貫通孔５４から筒体４０の内部に流入して、筒体４０の軸方向を縮径部４２の先端に向かって流れる。そして、縮径部４２の先端から流出した水は、ヘッド１４０内部のバッファ室１４３に流入する。旋回室１２内の水が筒体４０の内部に流入して筒体４０の内部を流れるときには、まだ旋回成分を持っている。また、縮径部４２という比較的狭い流路を流れる際には流速が速くなる。
【００８１】
バッファ室１４３は、旋回室１２及び筒体４０に比べて径方向寸法が大きな扁平状の空間であるので、縮径部４２の先端から流れ込んでくる水の勢いを減少させることができる。すなわち、特別な機構や部品を追加することなくバッファ室１４３に水を一時的に貯留することのみで、水の流速を大きく落とすことができ、また旋回成分も失わせることができる。このようにしてバッファ室１４３で整流された水は、バッファ室１４３に連通する複数の吐水孔１４５からシャワー状に外部に吐水される。
【００８２】
筒体４０及びヘッド１４０は、前述したように首振り公転と自転とを組み合わせた動きをするため、本実施形態に係る吐水装置によって得られるシャワー状の吐水流の吐水軌跡（例えば人体等に対する吐水流の衝突部位の人体表面上における移動軌跡）は、自転に起因する軌跡と、首振り公転に起因する軌跡とを組み合わせたものとなる。
【００８３】
その吐水軌跡を図１９に模式的に示す。なお、図１９において、吐水装置は、可動部分である筒体４０とヘッド１４０のみを示し、旋回室１２が形成されたガイド部材１０などは図示を省略している。
【００８４】
筒体４０及びヘッド１４０の自らの中心軸Ｃ２のまわりの一体となった自転により、その自転方向と同じｂ方向に、図１９において実線で示されるような円状の軌跡を描いて移動する吐水流が形成される。ここで、吐水孔１４５が筒体４０の中心軸Ｃ２に対して傾いていることから、吐水孔１４５が形成された散水板１４４の径よりも大きな円を描くように吐水流は移動する。
【００８５】
なお、本実施形態の吐水装置においては、すべての吐水孔１４５が同じ方向に傾斜している場合を例示しているが、これだけに限定されず、少なくとも１つの吐水孔１４５が他の吐水孔１４５とは異なる方向に傾斜していてもよい。但し、すべての吐水孔１４５が同じ方向に傾斜していると、各吐水孔１４５からの吐水流は同じ方向に進むため、分散することなく、面内分布が均一でまとまり感のある吐水流を浴びることができる。そのため、すべての吐水孔１４５が同じ方向に傾斜していることがより好ましく、その吐水流を受ける部分をむら無く洗浄したり温めることができる。
【００８６】
また、本実施形態の吐水装置では、筒体４０及びヘッド１４０の、旋回室１２の中心軸Ｃ１のまわりの首振り公転により、図１９において点線で示すように比較的狭い範囲を移動する吐水流が形成される。筒体４０とガイド壁２２によって規制される公転角より、吐水孔１４５の傾斜で決定される自転角の方が大きく設定されている場合には、これにより、この首振り公転により形成される吐水流は、自転により形成される吐水流の移動範囲より狭い範囲を、自転により形成される吐水流の移動方向ｂとは反対方向のａ方向に、ｂ方向の移動よりも高速に移動する。したがって、吐水流は全体として、比較的狭い範囲を図１４において矢印ａ方向に高速に移動しつつ、その移動範囲よりも大きな範囲をａ方向とは逆方向のｂ方向にゆっくりと移動する。
【００８７】
首振り公転によって形成される吐水流によって、自転によって形成される吐水流だけではカバーしきれない、より内側の範囲をカバーすることができ、吐水流がいわゆる中抜けせずに、むらの無い面状の吐水流を得ることができる。このように、本実施形態にかかる吐水装置によれば、中抜けなく、より広範囲を面状にカバーするシャワー状の吐水流を実現できる。
【００８８】
また、第１の実施の形態に関して前述したように、傾斜部４４は天井壁２４に略直線で当接し、大径部４６はガイド壁２２に略直線で当接し、縮径部４２は開口壁２６に略直線で当接しつつ、筒体４０は首振り公転および自転する。また、球面状の傾斜部４４ａは天井壁に略曲線で当接しつつ、筒体４０ａは首振り公転および自転する。したがって、通水時間が増加しても筒体４０の回転を安定化させることができ、むらの無い面状の吐水流をより維持することができる。
【００８９】
次に、本実施形態にかかる吐水装置の具体例について、図面を参照しつつ説明する。  
図２０は、浴室やシャワーブースの壁に取り付けた吐水装置を例示する模式図である。  本具体例では、保持部材１５１、１５２、１５３を介して、例えば浴室やシャワーブースの壁１５０に対してガイド部材１０およびガイド蓋３０が保持されている。ガイド部材１０およびガイド蓋３０の外周面と保持部材１５２との間にはシールリング１５５が介在され、保持部材１５１と保持部材１５２との間にはシールリング１５６が介在されている。そして、ガイド部材１０およびガイド蓋３０は保持部材１５１、１５２、１５３に対して上下方向や左右方向あるいは斜め方向に回動可能となっている。また、ガイド部材１０およびガイド蓋３０は保持部材１５２に対して、液密に回動可能となっている。ガイド部材１０およびガイド蓋３０が回動することにより、散水板１４４の表面部が向く方向を変えることができ、その散水板１４４に形成された吐水孔１４５から吐水される吐水流の吐水方向の調節が可能となる。
【００９０】
図示しない配管等を導かれてきた水は、保持部材１５１に形成された図示しない流入孔から保持部材１５１の内部に流入する。そして、その水は、流入孔１６を介して旋回室１２に対して接線方向から流入し旋回室１２内で旋回流となる。旋回室１２に流入した水は、開口４８および貫通孔５４から筒体４０の内部に流入してバッファ室１４３に流入し、吐水孔１４５を通って吐水される。
【００９１】
本具体例の吐水装置は、前述したように、傾斜部４４は天井壁２４に略直線で当接し、大径部４６はガイド壁２２に略直線で当接し、縮径部４２は開口壁２６に略直線で当接しつつ、筒体４０は首振り公転および自転する。そのため、通水時間が増加しても筒体４０の回転を安定化させることができる。したがって、自転によって形成される吐水流だけではカバーしきれない、より内側の範囲をカバーすることができ、吐水流がいわゆる中抜けせずに、むらの無い面状の吐水流をより維持することができる。
【００９２】
このような本具体例の吐水装置を複数個、例えば浴室やシャワーブースの壁に取り付け、それら各吐水装置からの吐水流を浴びれば、フリーハンドの状態で体の広範囲をむら無く一度に温め、通水時間が増加してもその状態を安定化できる。そのため、シャワー流だけで十分な入浴感を得ることが可能となる。このようなシャワー浴は、浴槽に浸かっての入浴と異なり、体への水圧の圧迫感（心肺への負担）やおぼれる心配がなく、特に小さな子供や高齢者にとって安心である。
【００９３】
なお、本発明の吐水装置は、浴室やシャワーブースにおけるシャワー装置として用いる以外にも、例えば、キッチンや洗浄機能付き便器やスプリンクラーなどにも用いることが可能である。
【００９４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ヘッド１４０などが備える各要素の形状、寸法、材質、配置などや吐水装置の壁への設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００９５】
【図１】本発明の第１の実施の形態にかかる吐水装置の内部を表す模式図である。
【図２】本実施形態にかかる吐水装置の一部を表す模式図である。
【図３】筒体の傾斜部近傍を拡大して眺めた拡大模式図である。
【図４】筒体の大径部近傍を拡大して眺めた拡大模式図である。
【図５】筒体の縮径部近傍を拡大して眺めた拡大模式図である。
【図６】旋回室およびこの内部に収容された筒体（の大径部）を平面方向から眺めた模式図である。
【図７】旋回室およびこの内部に収容された筒体（の大径部）を平面方向から眺めた模式図である。
【図８】旋回室およびこの内部に収容された筒体（の大径部）を平面方向から眺めた模式図である。
【図９】旋回室およびこの内部に収容された筒体（の大径部）を平面方向から眺めた模式図である。
【図１０】旋回室およびこの内部に収容された筒体（の大径部）を平面方向から眺めた模式図である。
【図１１】旋回室およびこの内部に収容された筒体（の大径部）を平面方向から眺めた模式図である。
【図１２】本実施形態の変形例にかかる吐水装置を例示する模式図である。
【図１３】本変形例の吐水装置が有する筒体を表す模式図である。
【図１４】本実施形態の他の変形例にかかる吐水装置を例示する模式図である。
【図１５】本実施形態のさらに他の変形例にかかる吐水装置を例示する模式図である。
【図１６】本変形例の吐水装置の要部の概略を表す斜視模式図である。
【図１７】通水時間に対する筒体の自転数の実測値を例示するグラフ図である。
【図１８】本発明の第２の実施の形態にかかる吐水装置の内部を表す模式図である。
【図１９】本実施形態にかかる吐水装置から吐水される吐水流の挙動を説明するための模式図である。
【図２０】浴室やシャワーブースの壁に取り付けた吐水装置を例示する模式図である。
【符号の説明】
【００９６】
１０ ガイド部材、  １２ 旋回室（流入室）、  １４ 開口部、  １５ 配管、  １６ 流入孔、  １８ 旋回室壁、  ２２ ガイド壁、  ２４ 天井壁、  ２６ 開口壁、  ２８ 内壁、  ３０ ガイド蓋、  ３５ シールリング、  ４０ 筒体、  ４２ 縮径部、  ４４ 傾斜部、  ４４ 天井壁、  ４６ 大径部、  ４８ 開口、５２ 吐水孔、  ５４ 貫通孔、  ５６ 開口、  ７０ ガイド部材、  ７４ ラウンド部、  ８０ ガイド部材、  ８２ ガイド壁、  ９０ ガイド部材、  ９６ 開口壁、  １４０ ヘッド、  １４１ バッファ部材、  １４２ 細管部、  １４３ バッファ室、  １４４ 散水板、  １４５ 吐水孔、  １４７ ヘッドカバー、  １５０ 壁、  １５１、１５２、１５３ 保持部材、  １５５、１５６ シールリング、  ２１０ ガイド部材、  ２１２ 回転室（流入室）、  ２２８ 導入管路、  ２３０ 軸方向管路、  ２４０ 筒体、  ２５３ 流入路、  ２５７ 通路、  ２６４ 軸流羽根、  ３１０ ガイド部材、  ３１２  回転室（流入室）、  ３４０ 筒体、  ３７３ ディスク、  ３７４ モータ、  ３７５ ピン、  ３８４ ピン孔、  ４０５ ベアリング、  ４０６ ギヤ歯、  ４１０ ガイド部材、  ４１２ 回転室（流入室）、  ４４０ 筒体、  ４９３ 蓋体、  ４９４ ベアリング、  ４９６ 内輪ギヤ、  ４９７ モータ、  ４９８ 伝達シャフト
【図１】
2010069445.tif 000003
【図２】
2010069445.tif 000004
【図３】
2010069445.tif 000005
【図４】
2010069445.tif 000006
【図５】
2010069445.tif 000007
【図６】
2010069445.tif 000008
【図７】
2010069445.tif 000009
【図８】
2010069445.tif 000010
【図９】
2010069445.tif 000011
【図１０】
2010069445.tif 000012
【図１１】
2010069445.tif 000013
【図１２】
2010069445.tif 000014
【図１３】
2010069445.tif 000015
【図１４】
2010069445.tif 000016
【図１５】
2010069445.tif 000017
【図１６】
2010069445.tif 000018
【図１７】
2010069445.tif 000019
【図１８】
2010069445.tif 000020
【図１９】
2010069445.tif 000021
【図２０】
2010069445.tif 000022